(57)【要約】【課題】充電池の寿命を知ることができる携帯電話を提供する。【解決手段】充電池２４で動作する携帯電話１０において、充電池２４が満充電状態に合った場合にその充電回数を充電回数計測部３４で計測し、その計測した充電回数を表示部１４によって表示することによって、ユーザーが充電回数を容易に把握することができる。【選択図】      図２
2005080350.tif 000002
【特許請求の範囲】
【請求項１】
充電池を電子機器本体に取り付けて、この充電池で動作する充電式電気機器において、
充電器によって前記充電池を充電した場合に、前記充電状態を検出する検出手段と、
前記検出手段が検出した充電回数を計測する計測手段と、
前記計測手段が計測した充電回数を表示する表示手段と、
を有する
ことを特徴とする充電式電気機器。
【請求項２】
前記充電式電気機器が、携帯電話、携帯情報端末、携帯用パソコン、携帯用音楽再生装置、または、電動工具である
ことを特徴とする請求項１記載の充電式電気機器。
【請求項３】
前記充電池を前記充電式電気機器本体から取り外したときに、前記計測手段が計測して充電回数をリセットする
ことを特徴とする請求項１記載の充電式電気機器。
【請求項４】
前記充電池を前記充電式電気機器本体に取り付けた状態で、前記充電機器で充電する
ことを特徴とする請求項１記載の充電式電気機器。
【請求項５】
前記充電状態が満充電状態、または、充電開始状態である
ことを特徴とする請求項１記載の充電式電気機器。
【請求項６】
充電池で動作する充電式電気機器に用いられる充電池において、
充電器によって前記充電池を充電した場合に、前記充電池の充電状態を検出する検出手段と、
前記検出手段が検出した充電状態の充電回数を計測する計測手段と、
前記計測手段が計測した充電回数を記憶する記憶手段と、
を有する
ことを特徴とする充電池。
【請求項７】
前記充電池の前記記憶手段で記憶している充電回数を、前記充電式電気機器に設けられている表示手段で表示する
ことを特徴とする請求項６記載の充電池。
【請求項８】
前記充電池の前記記憶手段で記憶している充電回数を、前記充電器に設けられている表示手段で表示する
ことを特徴とする請求項６記載の充電池。
【請求項９】
前記充電状態が満充電状態、または、充電開始状態である
ことを特徴とする請求項６記載の充電池。
【発明の詳細な説明】
【技術分野】
【０００１】
本発明は、充電池で動作する充電式電気機器及びその充電池に関するものである。
【背景技術】
【０００２】
最近の携帯電話の普及は目覚ましく、この携帯電話を動作させるための充電池の改良も日々進歩している。特に、充電池の一回の充電量を増やし、携帯電話の通話時間を長くする提案は種々されている（特許文献１）。
【特許文献１】特開２００３−２１９５６９
【発明の開示】
【発明が解決しようとする課題】
【０００３】
しかしながら、一回の充電量が多くなり通話時間が長くなっても、充電池自身の寿命は存在する。ところが、この充電池の寿命をユーザーが把握することはできない。
【０００４】
例えば、現在の充電量については、携帯電話の液晶表示部に電池のマークで表示されているため一目で把握することができるが、その充電池自身の寿命を知ることはできない。
【０００５】
そこで、本発明は上記問題点に鑑み、充電池の寿命を知ることができる充電式電気機器を提供するものである。
【課題を解決するための手段】
【０００６】
請求項１に係る発明は、充電池を充電式電気機器本体に取り付けて、この充電池で動作する充電式電気機器において、充電器によって前記充電池を充電した場合に、前記充電池の充電状態を検出する検出手段と、前記検出手段が検出した充電状態の充電回数を計測する計測手段と、前記計測手段が計測した充電回数を表示する表示手段と、を有することを特徴とする充電式電気機器である。
【０００７】
請求項２に係る発明は、前記充電式電気機器が、携帯電話、携帯情報端末、携帯用パソコン、携帯用音楽再生装置、または、電動工具であることを特徴とする請求項１記載の充電式電気機器である。
【０００８】
請求項３に係る発明は、前記充電池を前記充電式電気機器本体から取り外したときに、前記計測手段が計測して満充電状態の充電回数をリセットすることを特徴とする請求項１記載の充電式電気機器である。
【０００９】
請求項４に係る発明は、前記充電池を前記充電式電気機器本体に取り付けた状態で、前記充電機器で充電することを特徴とする請求項１記載の充電式電気機器である。
【００１０】
請求項５に係る発明は、前記充電状態が満充電状態、または、充電開始状態であることを特徴とする請求項１記載の充電式電気機器。
【００１１】
請求項６に係る発明は、充電池で動作する充電式電気機器に用いられる充電池において、充電器によって前記充電池を充電した場合に、前記充電池の充電状態を検出する検出手段と、前記検出手段が検出した充電状態の充電回数を計測する計測手段と、前記計測手段が計測した充電回数を記憶する記憶手段と、を有することを特徴とする充電池である。
【００１２】
請求項７に係る発明は、前記充電池の前記記憶手段で記憶している充電回数を、前記充電式電気機器に設けられている表示手段で表示することを特徴とする請求項６記載の充電池である。
【００１３】
請求項８に係る発明は、前記充電池の前記記憶手段で記憶している充電回数を、前記充電器に設けられている表示手段で表示することを特徴とする請求項６記載の充電池である。
【００１４】
請求項９に係る発明は、前記充電状態が満充電状態、または、充電開始状態であることを特徴とする請求項６記載の充電池である。
【発明の効果】
【００１５】
請求項１に係る発明の充電式電気機器においては、充電器によって充電池を充電した場合に、充電池の充電状態を検出手段が検出する。この検出手段が検出した充電状態を計測手段が計測し、この計測した充電回数を表示手段に表示する。
【００１６】
これによって、その充電式電気機器のユーザーは満充電状態の充電回数を表示手段を見ることによって把握することができ、この充電回数が増えればその充電池の寿命が近づいていることを知ることができる。
【００１７】
請求項２に係る発明の充電式電気機器においては、その充電式電気機器が、携帯電話、携帯情報端末、携帯用パソコン、携帯用音楽再生装置、又は、電動工具である。そのため、これら充電式電気機器を充電池で使用している場合に、その充電池の寿命を一目で把握することができる。
【００１８】
請求項３に係る発明の充電式電気機器においては、充電池の寿命が終わり、新しい充電池に取り替えた場合に計測手段が計測している満充電状態の充電回数を自動的にリセットすることができるため、ユーザーは、その新しい充電池についても一から寿命を判断することができる。
【００１９】
請求項４に係る発明の充電式電気機器においては、充電池を充電式電気機器本体に取り付けた状態で充電機器で充電する構造であるため、その充電を容易に行うことができる。
【００２０】
請求項６〜８に係る発明の充電池においては、充電器によって充電池を充電した場合に、充電池の充電状態を検出手段が検出する。この検出手段が検出した充電状態を計測手段が計測し、この計測した充電回数を記憶手段に記憶する。
【００２１】
これによって、ユーザーは、その充電池の固有の充電回数を、充電式電気機器または充電器の表示手段に表示することによって正確に把握することができ、この充電回数が増えればその充電池の寿命が近づいていることを知ることができる。
【発明を実施するための最良の形態】
【００２２】
（第１の実施形態）
以下、本発明の第１の実施形態の充電池を用いた充電式電気機器について、図１及び図２に基づいて説明する。
【００２３】
本実施形態の充電式電気機器は、図１に示すように携帯電話１０である。
【００２４】
（１）携帯電話１０の構成
まず、携帯電話１０の構成について説明する。
【００２５】
携帯電話１０は、図１に示すように、携帯電話１０の本体１２の表面には、液晶表示装置よりなる表示部１４と、テンキー等より構成される入力部１６が設けられている。表示部１４の上方にはスピーカー１８が設けられ、入力部１６の下方にはマイク２０が設けられている。
【００２６】
本体１２の裏面側の上部にはアンテナ２２が設けられている。
【００２７】
この本体１２の裏面側下部には、板状の充電池２４が着脱自在に取り付けられている。この充電池２４は、図１に示すように、携帯電話１０の本体１２に取り付けたままの状態で充電器３２に差し込み充電を行うことができる。充電器３２は、商用電源であるＡＣ１００Ｖや、電池等から電源が供給される。
【００２８】
（２）携帯電話１０の電気的構成
図２は携帯電話１０のブロック図であり、これに基づいて電気的構成を説明する。
【００２９】
この携帯電話１０の制御を行うＩＣチップよりなる制御部２６には、表示部１４、入力部１６、スピーカー１８、マイク２０、メモリ３０が接続されている。また、この携帯電話１０の通信を行うための通信部２８が設けられ、制御部２６に接続されている。この通信部２８にアンテナ２２が設けられている。制御部２６には、充電回数計測部３４が接続されている。この充電回数計測部３４については後から詳しく説明する。そして、これら制御部２６等の各構成は、充電池２４からの電源によって動作する。
【００３０】
（３）充電回数計測部３４の構成
その充電回数計測部３４について説明する。
【００３１】
図１に示すように、携帯電話１０の本体１２を充電器３２に取り付け、充電池２４を充電する。そして、充電池２４が満充電状態になると、充電池２４から充電が終了したことを示す充電終了信号が制御部２６に出力される。
【００３２】
この充電終了信号を出力する構成としては、次のような構成がある。
【００３３】
第１の構成は、充電器３２や携帯電話１０に、充電池２４の温度を計測するサーモスタットを設け、充電池２４が所定温度に到達するとサーモスタットがオフしてオフ信号を出力する。そして、そのオフ信号を充電終了信号とするものである。
【００３４】
第２の構成は、充電器３２によって充電を開始してからの充電時間を計測し、その充電時間が所定時間に到達すると充電終了信号を出力するものである。
【００３５】
第３の構成は、充電器３２によって充電を開始してから充電池２４の端子間電圧を計測し、その電圧が所定電圧に到達すると充電終了信号を出力するものである。
【００３６】
これら各構成は、単独で用いてもよく、また、組み合わせ用いてもよい。
【００３７】
制御部２６に充電終了信号が入力すると、制御部２６は充電回数計測部３４に充電が終了したことを示す充電終了信号を転送する。充電回数計測部３４では、この充電終了信号が入力すると充電回数のカウント数を１増加させる。
【００３８】
この充電回数計測部３４はそのカウントした充電回数を制御部２６に出力し、制御部２６は表示部１４にその充電回数を表示させる。この表示部１４では、図１に示すように、その充電回数（図１では、３００回を示す）を、充電池２４の充電状態と共に右上に表示させる。
【００３９】
そして、この充電池２４に対し充電が行われる毎に充電回数計測部３４はその充電回数を１づつ増加させ、表示部１４においてはその充電回数をデジタル表示の数字で一目で把握することができる。
【００４０】
これによって、ユーザーはその充電回数を確認することによってその充電池２４が何回充電されたかを知ることができ、その充電回数が増加する場合にはその充電池２４の寿命が近づいてきたことを知ることができる。
【００４１】
また、この携帯電話１０の場合には、充電池２４が寿命になり新しい充電池２４に取り替えた場合には、制御部２６は充電回数計測部３４の充電回数をリセットする。これによって、新しい充電池２４を本体１２に取り付けた場合には改めて充電回数を１からカウントすることとなり、ユーザーは新し充電池２４であってもその寿命を確認することができる。
【００４２】
以上のように、ユーザーは充電池２４の寿命を表示部１４の充電回数によって簡単に把握することができるため、携帯電話１０が使用できなくなった場合にその原因が充電池２４の寿命からくるものか否かを簡単に判別することができる。  また、充電池２４が寿命に近づいて液漏れ等を起こして他の部品まで故障を及ぼすことを防止することができる。
【００４３】
さらに、携帯電話１０の製造会社に対して、充電池２４の寿命が短い等という誤った抗議を防止することもできる。
【００４４】
（第２の実施形態）
第１の実施形態では、充電回数計測部３４とメモリ３０を携帯電話１０に内蔵したが、本実施形態では、充電池２４内部に設けている。
【００４５】
本実施形態では、充電器３２で充電池２４を充電すると、充電回数計測部で計測した充電回数を計測して、メモリに記憶させる。また、その充電回数に関する信号を携帯電話１０の制御部２６に出力する。制御部２６では、入力した充電回数に関する信号に基づいて表示部１４に、その充電回数を表示させる。なお、この充電回数の表示は、充電中に限らず、充電器３２を取り外した充電終了後であってもよい。
【００４６】
本実施形態であると、一つの充電池２４をいろいろな携帯電話１０で使い回したり、また、充電池２４のみで充電した場合でも、その充電池の固有の充電回数がメモリに記憶されているため、その充電池の固有の充電回数をユーザーは正確に把握できる。
【００４７】
なお、この充電回数を表示する構成として、携帯電話１０に表示するのでなく、充電器３２に液晶表示装置の表示部を設け、この充電器３２の表示部に充電回数を表示してもよい。
【００４８】
（変更例）
本発明は、上記実施形態に限らず、その趣旨を逸脱しない限り、いろいろに変更することができる。
【００４９】
（１）変更例１
充電池２４の寿命に近い値として、予め充電回数をメモリ３０に記憶させておく。例えば、３００回の充電でこの充電池２４の寿命が近づくとするように設定しておくと、その充電回数が表示部１４に表示される場合には、充電回数を黒色の表示から赤色の表示に変化させると、ユーザーはより簡単にその充電池２４が寿命に近づいてきたことを知ることができる。
【００５０】
（２）変更例２
上記各実施形態では、充電回数を計測する場合に、満充電状態の時に計測していたが、これに代えて、充電を開始した時点で一回と計測してもよい。
【００５１】
例えば、充電を開始した場合に、充電器３２から充電開始信号を出力して、その充電開始信号を充電回数計測部３４で計測する。
【００５２】
（３）変更例３
上記実施形態では充電池で動作する充電式電気機器としては携帯電話１０で説明したが、これ以外に携帯情報端末、ＣＤプレーヤーやＭＤプレーヤーやＭＰＥＧプレーヤーやラジオ等の音楽再生装置、携帯型のノートパソコン、電動工具等においてもこの発明を適用することができる。
【産業上の利用可能性】
【００５３】
以上のように本発明の充電式電気機器は、携帯電話、携帯情報端末、ノートパソコン、携帯用音楽再生装置、電動工具等に適用することができる。
【図面の簡単な説明】
【００５４】
【図１】本実施形態の携帯電話の正面図である。
【図２】同じく携帯電話のブロック図である。
【符号の説明】
【００５５】
１０  携帯電話
１２  本体
１４  表示部
２４  充電池
２６  制御部
２８  通信部
３０  メモリ
３２  充電器
３４  充電回数計測部
【図１】
2005080350.tif 000003
【図２】
2005080350.tif 000004